(57)【要約】【課題】不要な着信未応答表示を禁じ得る携帯電話機を提供すること。【解決手段】この携帯電話機に備えられる制御部１０４では、通信相手からの着信時の呼び出しに際して電話に出られない状況下でタイマ１０５によるカウント値を予め設定された所定のカウント値に相当する閾値と比較する機能を持ち、メモリＡ１０３に記憶された通信相手の電話番号が予めメモリＢ１０４に登録されている場合にはカウント値の閾値との比較に先立ってＬＣＤ表示部１０７へ着信通知及び不在時着信履歴の表示を行わせるが、通信相手の電話番号が予めメモリＢ１０４に登録されていない場合にはカウント値を閾値と比較した結果に応じ、カウント値が閾値以上であれば着信通知及び不在時着信履歴を表示させ、カウント値が閾値未満であれば着信通知及び不在時着信履歴の表示を行わないように着信未応答表示機能による表示動作を制御する。【選択図】　　　図１
2004104548.tif 000002
【特許請求の範囲】
【請求項１】
通信相手からの着信時の呼び出しに際して電話に出られない状況下での着信通知及び不在時着信履歴を表示する着信未応答表示機能を有する携帯電話機において、前記着信時の呼び出しに応じて該呼び出しの継続時間をカウントするカウンタと、前記カウンタのカウントを動作制御すると共に、該カウンタによるカウント値を予め設定された所定のカウント値に相当する閾値と比較し、該比較の結果により該カウント値が該閾値以上であれば前記着信通知及び前記不在時着信履歴を表示させ、該カウント値が該閾値未満であれば該着信通知及び該不在時着信履歴の表示を行わないように、前記着信未応答表示機能による表示動作を制御する制御部とを有することを特徴とする携帯電話機。
【請求項２】
請求項１記載の携帯電話機において、前記着信時の呼び出しに応じて前記通信相手の電話番号を記憶するための第１の記憶手段と、予め任意に通信相手の電話番号を記憶して登録設定するための第２の記憶手段とを備え、前記制御部は、前記着信未応答表示機能による前記表示動作の制御を前記第１の記憶手段に記憶された前記通信相手の電話番号が予め前記第２の記憶手段に記憶登録されているか否かの判定結果に応じて行い、該通信相手の電話番号が予め登録されている場合には前記カウント値の前記閾値との比較に先立って前記着信通知及び前記不在時着信履歴の表示を行わせ、該通信相手の電話番号が予め登録されていない場合には該カウント値を該閾値と比較した結果に応じ、該カウント値が該閾値以上であれば該着信通知及び該不在時着信履歴を表示させ、該カウント値が該閾値未満であれば該着信通知及び該不在時着信履歴の表示を行わないように動作制御することを特徴とする携帯電話機。
【請求項３】
請求項１又は２記載の携帯電話機において、少なくとも前記着信通知及び前記不在時着信履歴を表示可能な表示部を有する表示器と、少なくとも前記着信未応答表示機能のオン・オフ切り替え設定を含む通話に要する操作設定を行うための複数のキーから成るキー操作部とを有し、前記着信未応答表示機能による前記表示動作の制御の成否を前記キー操作部における前記複数のキーのうちの特定のものの操作により任意に設定可能であることを特徴とする携帯電話機。
【請求項４】
請求項３記載の携帯電話機において、前記制御部に設定された前記閾値は、前記キー操作部における前記複数のキーのうちの所定のものの操作により前記表示部に表示可能であると共に、変更設定できることを特徴とする携帯電話機。
【請求項５】
携帯電話機に具備される着信未応答表示機能により通信相手からの着信時の呼び出しに際して電話に出られない状況下での着信通知及び不在時着信履歴を表示するとき、該着信時の呼び出しをカウントして予め操作設定されて変更可能な所定のカウント値に相当する閾値と比較した結果、カウント値が該閾値以上であれば該着信通知及び該不在時着信履歴を表示させ、該カウント値が該閾値未満であれば該着信通知及び該不在時着信履歴の表示を行わないように、該着信未応答表示機能による表示動作を制御することを特徴とする携帯電話機の着信表示制御方法。
【請求項６】
請求項５記載の携帯電話機の着信表示制御方法において、前記着信未応答表示機能による前記表示動作の制御は、通信相手の電話番号が予め登録されているか否かの判定結果に応じて行われるもので、該通信相手の電話番号が予め登録されている場合には前記カウント値の前記閾値との比較に先立って前記着信通知及び前記不在時着信履歴の表示を行わせ、該通信相手の電話番号が予め登録されていない場合には該カウント値を該閾値と比較した結果に応じ、該カウント値が該閾値以上であれば該着信通知及び該不在時着信履歴を表示させ、該カウント値が該閾値未満であれば該着信通知及び該不在時着信履歴の表示を行わないように動作制御することを特徴とする携帯電話機の着信表示制御方法。
【発明の詳細な説明】
【０００１】
【発明の属する技術分野】
本発明は、主として通信相手からの着信時の呼び出し（着呼）に際して電話に出られない状況下での着信通知及び不在時着信履歴を表示する着信未応答表示機能を有する携帯電話機に関し、詳しくは着呼が短かく、且つ電話番号が登録されていない場合に着信通知及び不在時着信履歴の表示を行わないようにした携帯電話機及びその着信表示制御方法に関する。
【０００２】
【従来の技術】
従来、ＰＨＳを含む携帯電話機は、一般に広く普及しており、その利用価値はもはや日常生活の一部となっており、又情報処理技術の進展に伴い、様々な登録表示機能が持たされている。
【０００３】
例えば個人情報送受信機能付き携帯電話機として、容易に個人情報を登録できると共に、自動的に電話帳を作成でき、登録されていない相手からの着信時でも相手の氏名等の個人情報を表示する機能を持つことで、巨大なデータを保持することなく、回線網を使用しなくても個人情報の登録，変更，公開非公開の切り替え等の処理ができるものがある（特許文献１参照）。
【０００４】
又、通信端末装置として、特定者からの着信が無いことを容易に気付くことができるように、制御回路により最後の着信から現在までの間隔が過去３回の平均着信間隔よりも長い場合に表示画面上のメッセージか、或いは音により警告するような機能を持たせたものがある（特許文献２参照）。
【０００５】
更に、電話機及び情報端末装置及びその着信通知方法として、同一発信者から所定時間内に複数の着信があったときに、受信者に着信の重要性，緊急性を容易に報知できるものがある（特許文献３参照）。
【０００６】
加えて、携帯電話機及びその不在着信履歴通知方法及び記録媒体として、不在着信があるときに使用者が着信履歴を確認する行為を促す機能が持たされたものがある（特許文献４参照）。
【０００７】
その他、電話装置及び着信重要度通知方法として、着信者の意図に沿わない重要度通知がされないように、重要度のある着信未応答の表示を行うものもある（特許文献５参照）。
【０００８】
即ち、こうした昨今の携帯電話機の殆どには、通信相手からの着信時の呼び出しに際して不在時やその他の事情により電話に出られない状況下にあって、電話があった旨をメッセージ文面等で表示器であるＬＣＤ（液晶表示器）の表示部やその他の表示可能箇所に表示させてその旨を通知する「着信通知」の機能と、表示部で着信履歴にかかってきた電話番号を表示させることで電話をかけてきた相手を通知する「不在時着信履歴」の機能とによる着信未応答表示機能が設けられている。
【０００９】
【特許文献１】
特開２０００−２０１３７５号公報（要約の課題）
【００１０】
【特許文献２】
特開２０００−２７００５９号公報（要約の課題及び解決手段）
【００１１】
【特許文献３】
特開２００１−２１７９０３号公報（要約の課題）
【００１２】
【特許文献４】
特開２００１−３３３１５８号公報（要約の課題）
【００１３】
【特許文献５】
特開２００２−１２５０１２号公報（要約の課題及び解決手段からの抜粋）
【００１４】
【発明が解決しようとする課題】
上述した殆どの携帯電話機の場合、通信相手からの着信時の呼び出しに際して電話に出られない状況下での着信通知及び不在時着信履歴を表示する着信未応答表示機能を有するが、近頃では係る機能の利用において、例えば見知らぬ通信相手からの間違い電話等による着信時の短い呼び出し（呼び出し音１コールのみのような呼び出し）で切れてしまったような場合でも、着信未応答表示機能が働いてしまうため、使用者がその不在時着信履歴を見て通信相手先の電話番号に電話をかけることにより、有料サイト等に繋がって不要な通話を行うことがあるばかりでなく、それによる不当な通話使用料金（電話料金）を請求されてしまうという問題が起きている。
【００１５】
本発明は、このような問題点を解決すべくなされたもので、その技術的課題は、不要な着信未応答表示を禁じ得る携帯電話機及びその着信表示制御方法を提供することにある。
【００１６】
【課題を解決するための手段】
本発明によれば、通信相手からの着信時の呼び出しに際して電話に出られない状況下での着信通知及び不在時着信履歴を表示する着信未応答表示機能を有する携帯電話機において、着信時の呼び出しに応じて該呼び出しの継続時間をカウントするカウンタと、カウンタのカウントを動作制御すると共に、該カウンタによるカウント値を予め設定された所定のカウント値に相当する閾値と比較し、該比較の結果により該カウント値が該閾値以上であれば着信通知及び不在時着信履歴を表示させ、該カウント値が該閾値未満であれば該着信通知及び該不在時着信履歴の表示を行わないように、着信未応答表示機能による表示動作を制御する制御部とを有する携帯電話機が得られる。
【００１７】
又、本発明によれば、上記携帯電話機において、着信時の呼び出しに応じて通信相手の電話番号を記憶するための第１の記憶手段と、予め任意に通信相手の電話番号を記憶して登録設定するための第２の記憶手段とを備え、制御部は、着信未応答表示機能による表示動作の制御を第１の記憶手段に記憶された通信相手の電話番号が予め第２の記憶手段に記憶登録されているか否かの判定結果に応じて行い、該通信相手の電話番号が予め登録されている場合にはカウント値の閾値との比較に先立って着信通知及び不在時着信履歴の表示を行わせ、該通信相手の電話番号が予め登録されていない場合には該カウント値を該閾値と比較した結果に応じ、該カウント値が該閾値以上であれば該着信通知及び該不在時着信履歴を表示させ、該カウント値が該閾値未満であれば該着信通知及び該不在時着信履歴の表示を行わないように動作制御する携帯電話機が得られる。
【００１８】
更に、本発明によれば、上記何れかの携帯電話機において、少なくとも着信通知及び不在時着信履歴を表示可能な表示部を有する表示器と、少なくとも着信未応答表示機能のオン・オフ切り替え設定及び通話に要する操作設定を行うための複数のキーから成るキー操作部とを有し、着信未応答表示機能による表示動作の制御の成否をキー操作部における複数のキーのうちの特定のものの操作により任意に設定可能である携帯電話機が得られる。
【００１９】
加えて、本発明によれば、上記携帯電話機において、制御部に設定された閾値は、キー操作部における複数のキーのうちの所定のものの操作により表示部に表示可能であると共に、変更設定できる携帯電話機が得られる。
【００２０】
一方、本発明によれば、携帯電話機に具備される着信未応答表示機能により通信相手からの着信時の呼び出しに際して電話に出られない状況下での着信通知及び不在時着信履歴を表示するとき、該着信時の呼び出しをカウントして予め操作設定されて変更可能な所定のカウント値に相当する閾値と比較した結果、カウント値が該閾値以上であれば該着信通知及び該不在時着信履歴を表示させ、該カウント値が該閾値未満であれば該着信通知及び該不在時着信履歴の表示を行わないように、該着信未応答表示機能による表示動作を制御する携帯電話機の着信表示制御方法が得られる。
【００２１】
他方、本発明によれば、上記携帯電話機の着信表示制御方法において、着信未応答表示機能による表示動作の制御は、通信相手の電話番号が予め登録されているか否かの判定結果に応じて行われるもので、該通信相手の電話番号が予め登録されている場合にはカウント値の閾値との比較に先立って着信通知及び不在時着信履歴の表示を行わせ、該通信相手の電話番号が予め登録されていない場合には該カウント値を該閾値と比較した結果に応じ、該カウント値が該閾値以上であれば該着信通知及び該不在時着信履歴を表示させ、該カウント値が該閾値未満であれば該着信通知及び該不在時着信履歴の表示を行わないように動作制御する携帯電話機の着信表示制御方法が得られる。
【００２２】
【発明の実施の形態】
以下に本発明の実施の形態について、図面を参照して詳細に説明する。最初に、本発明の携帯電話機の着信表示制御方法の技術的概要を簡単に説明する。本発明の携帯電話機の着信表示制御方法は、携帯電話機に具備される着信未応答表示機能により通信相手からの着信時の呼び出しに際して電話に出られない状況下での着信通知及び不在時着信履歴を表示するとき、着信時の呼び出しをカウントして予め操作設定されて変更可能な所定のカウント値に相当する閾値と比較した結果、カウント値が閾値以上であれば着信通知及び不在時着信履歴を表示させ、カウント値が閾値未満であれば着信通知及び不在時着信履歴の表示を行わないように、着信未応答表示機能による表示動作を制御するものである。但し、ここでの着信未応答表示機能による表示動作の制御は、通信相手の電話番号が予め登録されているか否かの判定結果に応じて行われるもので、通信相手の電話番号が予め登録されている場合にはカウント値の閾値との比較に先立って着信通知及び不在時着信履歴の表示を行わせ、通信相手の電話番号が予め登録されていない場合にはカウント値を閾値と比較した結果に応じ、カウント値が閾値以上であれば着信通知及び不在時着信履歴を表示させ、カウント値が閾値未満であれば着信通知及び不在時着信履歴の表示を行わないように動作制御するものである。
【００２３】
このような携帯電話機の着信表示制御方法に従えば、着信未応答表示機能の利用において、例えば見知らぬ通信相手からの間違い電話等による着信時の短い呼び出し（呼び出し音１コールのみのような呼び出し）で切れてしまったような場合、電話番号が登録されていない通信相手の電話番号については、着信通知及び不在時着信履歴を表示しないようにすることで不要な着信未応答表示を禁じ得る非表示機能を得ることができるため、使用者が不在時着信履歴を見て通信相手先の電話番号に電話をかけることが無く、それによる不当な通話使用料金（電話料金）が請求される事態が回避される。
【００２４】
図１は、上述した携帯電話機の着信表示制御方法を適用した本発明の一つの実施の携帯に係る携帯電話機の基本構成を示したブロック図である。
【００２５】
この携帯電話機は、図示されない最寄りの基地局経由で通信相手（その通信相手の携帯電話機を示す）と無線により電話通信（通話）を行うための送受信用のアンテナ部１０１と、電話通信に必要な無線データ処理を行う無線部と、着信時の呼び出しに応じて通信相手の電話番号を記憶するための第１の記憶手段としてのメモリＡ１０３と、予め任意に通信相手の電話番号を記憶して登録設定するための第２の記憶手段としてのメモリＢ１０６と、着信時の呼び出しに応じて呼び出しの継続時間をカウントするカウンタとしてのタイマ１０５と、少なくとも通信相手からの着信時の呼び出しに際して電話に出られない状況下（留守モード等）での着信通知及び不在時着信履歴を表示可能なＬＣＤ表示部１０７と、少なくとも通話に要する操作設定を行うための複数のキーから成るキー操作部１０８と、タイマ１０５のカウント動作，ＬＣＤ表示部１０７への表示処理動作，キー操作部１０８のキー操作に応じてメモリＡ１０３，メモリＢ１０４，タイマ１０５を用いたデータ処理により着信未応答表示機能を含む電話通信に要する諸機能を得るために各部を動作制御する制御部１０４とを備えて構成される。
【００２６】
このうち、制御部１０４は、留守モード等でのタイマ１０５によるカウント値を予め設定された所定のカウント値に相当する閾値と比較し、比較の結果によりカウント値が閾値以上であればＬＣＤ表示部１０７へ着信通知及び不在時着信履歴を表示させ、カウント値が閾値未満であればＬＣＤ表示部１０７へ着信通知及び不在時着信履歴の表示を行わないように、着信未応答表示機能による表示動作を制御する機能を有しているが、ここでは更にメモリＡ１０３に記憶された通信相手の電話番号が予めメモリＢ１０４に記憶登録されているか否かの判定結果に応じて着信未応答表示機能による表示動作の制御を行う。
【００２７】
具体的に言えば、制御部１０４は、メモリＡ１０３に記憶された通信相手の電話番号が予めメモリＢ１０４に登録されている場合にはタイマ１０５からのカウント値の閾値との比較に先立ってＬＣＤ表示部１０７へ着信通知及び不在時着信履歴の表示を行わせるが、メモリＡ１０３に記憶された通信相手の電話番号が予めメモリＢ１０４に登録されていない場合にはタイマ１０５からのカウント値を閾値と比較した結果に応じ、カウント値が閾値以上であればＬＣＤ表示部１０７へ着信通知及び不在時着信履歴を表示させ、カウント値が閾値未満であればＬＣＤ表示部１０７へ着信通知及び不在時着信履歴の表示を行わないように着信未応答表示機能による表示動作を制御する。
【００２８】
ところで、ここでの制御部１０４の着信未応答表示機能による表示動作の制御の成否は、キー操作部１０８における各キーのうちの特定のものの操作により任意に設定可能であり、特定のキーで着信未応答表示機能のオン・オフ切り替え設定できるようになっている。又、制御部１０４に設定された閾値は、使用者によるキー操作部１０８における各キーのうちの所定のものの操作によりＬＣＤ表示部１０７に表示することができると共に、任意に変更設定できるようになっている。これにより、係る制御部１０４の着信未応答表示機能による表示動作の制御を必要としない時は設定をオフにすることで全ての着信履歴を残して表示させることが可能となり、又不当な有料サイトの呼び出し時間が変更された場合でも、タイマ１０５の判定用の閾値を変更することで不当な有料サイトの着信通知及び不在時着信履歴を非表示にすることが可能となる。
【００２９】
以下は、この携帯電話機による基本動作を説明する。この携帯電話機では、先ず留守モード等での着信があると、制御部１０４が通信相手の電話番号をメモリＡ１０３に記憶するのと同時に、タイマ１０５をスタートさせて呼び出しの継続時間をカウントし、呼び出しが終了した時点でタイマ１０５をストップさせてカウントを終了する。このとき、通信相手からの呼び出しをカウントしたカウント値が得られる。
【００３０】
次に、制御部１０４はメモリＢ１０６のアドレス帳に予め登録されている電話番号にメモリＡ１０３に記憶した通信相手の電話番号があるか否かをチェックする。尚、メモリＢ１０６のアドレス帳には、使用者が予め幾つかの電話番号を記憶登録しているものとする。制御部１０４は、ここでのチェックの結果、メモリＢ１０６のアドレス帳に登録されている電話番号にメモリＡ１０３に記憶した通信相手の電話番号があった場合、図２に示すように、着信通知及び不在時着信履歴をＬＣＤ表示部１０７に表示させて不在時着信があったことを使用者に通知する。
【００３１】
図２は、制御部１０４により表示動作が制御されるＬＣＤ表示部１０７における表示の一形態を例示したものである。ここでは１６時にメモリＢ１０６のアドレス帳に電話番号が登録されている「鈴木一郎」氏から電話があった場合の１７時におけるＬＣＤ表示部１０７の表示を示しており、着信通知として「着信がありました」、不在時着信履歴として通常の着信履歴と区別するため、名前「鈴木一郎」の下部に「（不在）」を表示している。
【００３２】
これに対し、制御部１０４は、メモリＢ１０６のアドレス帳に登録されている電話番号にメモリＡ１０３に記憶した通信相手の電話番号が無かった場合、タイマ１０５でカウントしたカウント値Ａがタイマ１０５の判定用の閾値Ｘ以上であるか否かをチェックする。このチェックの結果、タイマ１０５でカウントしたカウント値Ａがタイマ１０５の判定用の閾値Ｘ以上であった場合、制御部１０４は、図３に示すように、通常通り着信通知及び不在時着信履歴をＬＣＤ表示部１０７に表示させ、不在時着信があったことを使用者に通知する。
【００３３】
図３は、制御部１０４により表示動作が制御されるＬＣＤ表示部１０７における表示の他形態を例示したものである。ここでは１６時にメモリＢ１０６のアドレス帳に電話番号が登録されていない通信相手から電話があった場合の１７時におけるＬＣＤ表示部１０７の表示を示しており、着信通知として「着信がありました」、不在時着信履歴として通信相手の電話番号がメモリＢ１０６に登録されていないものであるため、その電話番号０９０１２３４５６７８の下部に「（不在）」を表示している。
【００３４】
又、制御部１０４は、メモリＢ１０６のアドレス帳に登録されている電話番号にメモリＡ１０３に記憶した通信相手の電話番号が無く、タイマ１０５でカウントしたカウント値Ａがタイマ１０５の判定用の閾値Ｘ未満であった場合、図４に示すように、着信通知は表示せず、不在時着信履歴にも不在時着信があった旨を表示しない。
【００３５】
図４は、制御部１０４により表示動作が制御されるＬＣＤ表示部１０７における表示の別形態を例示したものである。ここでは通信相手から電話があっても着信時の呼び出し時間が短いことにより非表示とする場合のＬＣＤ表示部１０７の表示を示しており、着信通知、不在時着信履歴には何も表示されていない。
【００３６】
ここでのタイマ１０５の判定用の閾値Ｘは、着信通知及び不在時着信履歴の表示／非表示を判定する値であり、例えば呼び出し時間が２秒未満である通信相手の電話番号について着信通知及び不在時着信履歴を非表示にしたい場合、その閾値を２秒とする等、使用者がキー操作部１０８の所定のものの操作によりＬＣＤ表示部１０７に表示させた上で変更設定できるものである。
【００３７】
このような制御部１０４の着信未応答表示機能による表示動作の制御を行えば、基本的にメモリＢ１０６のアドレス帳に未登録であり、且つ短い呼び出し音１コール等で切れてしまうような通信相手からの着信に対しては、着信通知及び不在時着信履歴を表示しないことにより、従来のようにかけ直して不当に有料サイトに繋がって電話するような事態を回避することができる他、例えばメモリＢ１０６のアドレス帳に登録されている電話番号の知人のような通信相手からの着信に対しては、何かの不都合等で着信が早く途切れてしまった場合でも着信通知及び不在時着信履歴を表示させて使用者に通知することができるし、或いは知人の通信相手が新しく電話番号を変えてメモリＢ１０６のアドレス帳に登録されていないような場合でも、呼び出し時間がタイマ１０５の判定用の閾値Ｘ以上であれば、同様に着信通知及び不在時着信履歴を表示させて使用者に通知することができるので、取り扱いが非常に便利となる。
【００３８】
図５は、上述した制御部１０４の動作処理を示したフローチャートである。制御部１０４は、留守モード等で着信（ステップＳ１）があると、通信相手の電話番号（着信番号）をメモリＡ１０３に記憶（ステップＳ２）するのと同時に，呼び出しがどの位継続したかをカウントするため、タイマ１０５をスタート（ステップＳ３）させる。
【００３９】
この後、制御部１０４は、使用者が不在であるか否かを“通話”ボタン押下の成否（ステップＳ４）により判定し、“通話”ボタン押下により電話に応対できる状況であれば通話開始（ステップＳ５）とするが、通話”ボタン押下とならずに電話に応対できない状況であれば着信（呼び出し）終了（ステップＳ６）と同時にタイマ１０５をストップさせるタイマストップ（ステップＳ７）へ移行した後、タイマ１０５が呼び出し継続時間をカウントしたカウント時間（カウント値）Ａを制御部１０４へ送出することでカウント終了する。
【００４０】
引き続き、制御部１０４は、先の着信番号をメモリＡ１０３に記憶（ステップＳ２）する処理で得られたメモリＡ１０３の着信番号、及び予め使用者が記憶登録したメモリＢ１０６のアドレス帳の電話番号を比較（ステップＳ８）し、着信番号はアドレス帳に登録されているか否かを判定（ステップＳ９）する。
【００４１】
この結果、着信番号がアドレス帳に登録されていれば図２に示したようにＬＣＤ表示部１０７に着信通知及び不在時着信履歴を表示（ステップＳ１２）するが、着信番号がアドレス帳に登録されていなければタイマ１０５でカウントされたカウント時間Ａと予め設定されているタイマ判定閾値Ｘとを比較（ステップＳ１０）し、カウント時間Ａはタイマ判定閾値Ｘ以上か否かを判定（ステップＳ１１）する。この結果、カウント時間Ａがタイマ判定閾値Ｘ以上であれば図３に示したようにＬＣＤ表示部１０７に着信通知及び不在時着信履歴を表示（ステップＳ１２）するが、カウント時間Ａがタイマ判定閾値Ｘ未満であれば、図４に示したようにＬＣＤ表示部１０７に着信通知及び不在時着信履歴を非表示（ステップＳ１３）とし、着信通知を表示せず、且つ不在時着信履歴も不在時着信があったことを表示しない。
【００４２】
【発明の効果】
以上に述べた通り、本発明によれば、携帯電話機に具備される着信未応答表示機能により通信相手からの着信時の呼び出しに際して電話に出られない状況下での着信通知及び不在時着信履歴を表示するとき、着信時の呼び出しをカウントして予め操作設定されて変更可能な所定のカウント値に相当する閾値と比較した結果、カウント値が閾値以上であれば着信通知及び不在時着信履歴を表示させ、カウント値が閾値未満であれば着信通知及び不在時着信履歴の表示を行わないように、着信未応答表示機能による表示動作を制御することを基本とした上、この着信未応答表示機能による表示動作を制御を通信相手の電話番号が予め登録されているか否かの判定結果に応じて行わせ、通信相手の電話番号が予め登録されている場合にはカウント値の閾値との比較に先立って着信通知及び不在時着信履歴の表示を行わせ、通信相手の電話番号が予め登録されていない場合にはカウント値を閾値と比較した結果に応じ、カウント値が閾値以上であれば着信通知及び不在時着信履歴を表示させ、カウント値が閾値未満であれば着信通知及び不在時着信履歴の表示を行わないように動作制御するようにしているので、着信未応答表示機能の利用において、例えば見知らぬ通信相手からの間違い電話等による着信時の短い呼び出しで切れてしまったような場合に対し、電話番号が登録されていない通信相手の電話番号については、着信通知及び不在時着信履歴を表示しないようにすることで不要な着信未応答表示を禁じ得ることができ、使用者が不在時着信履歴を見て通信相手先の電話番号に電話をかけることが無く、それによる不当な通話使用料金（電話料金）が請求される事態が回避されると共に、不用なメモリ容量を使用しないで済むようになり、しかもこの着信未応答表示機能による表示動作の制御に対するオン・オフ切り替え設定を特定のキー操作により任意に設定可能とし、且つ閾値を所定のキー操作により表示させた上で任意に変更設定できるようにしているため、係る機能を必要としない時は設定をオフにすることで全ての着信履歴を残して表示させることが可能となり、又不当な有料サイトの呼び出し時間が変更された場合でも、閾値を変更することで不当な有料サイトの着信通知及び不在時着信履歴を非表示にすることが可能となる。
【図面の簡単な説明】
【図１】本発明の一つの実施の携帯に係る携帯電話機の基本構成を示したブロック図である。
【図２】図１に示す携帯電話機に備えられる制御部により表示動作が制御されるＬＣＤ表示部における表示の一形態を例示したものである。
【図３】図１に示す携帯電話機に備えられる制御部により表示動作が制御されるＬＣＤ表示部における表示の他形態を例示したものである。
【図４】図１に示す携帯電話機に備えられる制御部により表示動作が制御されるＬＣＤ表示部における表示の別形態を例示したものである。
【図５】図１に示す携帯電話機に備えられる制御部の動作処理を示したフローチャートである。
【符号の説明】
１０１　アンテナ部
１０２　無線部
１０３　メモリＡ
１０４　制御部
１０５　タイマ
１０６　メモリＢ
１０７　ＬＣＤ表示部
１０８　キー操作部
【図１】
2004104548.tif 000003
【図２】
2004104548.tif 000004
【図３】
2004104548.tif 000005
【図４】
2004104548.tif 000006
【図５】
2004104548.tif 000007